(57)【要約】【課題】１つのブラケットでも係止孔及び本止め孔の配置パターンが異なる取付態様に対応でき、施工性に優れる上、コストや管理の手間も低減できるようにする。【解決手段】給湯器１の背板６へ取り付けられるブラケット１１には、第１の取付部１２Ａと第２の取付部１２Ｂとが上下に設けられて、第１の取付部１２Ａに形成される係止孔１４Ａ及び本止め孔１５Ａ，１５Ａの配置パターンと、第２の取付部１２Ｂに形成される係止孔１４Ｂ及び本止め孔１５Ｂ，１５Ｂの配置パターンとは互いに異なっており、第２の取付部１２Ｂを下にして背板６へ固定し、上にした第１の取付部１２Ａを壁面へ固定する第１の取付態様と、ブラケット１１を上下逆にして第１の取付部１２Ａを下にして背板６へ固定し、上にした第２の取付部１２Ｂを壁面へ固定する第２の取付態様とが選択可能となっている。【選択図】図４
2018185090.tif 000002
【特許請求の範囲】
【請求項１】
燃焼装置を収容する筐体の背面の少なくとも上部に、鉛直面への取付用のブラケットを着脱可能に設けてなる給湯器であって、
前記ブラケットには、第１の取付部と第２の取付部とが上下に設けられて、両前記取付部には、前記鉛直面に設けた係止部に係止させるための係止孔と、前記鉛直面に固定するための本止め孔と、前記背面に固定するための取付孔とがそれぞれ形成されると共に、
前記第１の取付部に形成される前記係止孔及び前記本止め孔の配置パターンと、前記第２の取付部に形成される前記係止孔及び前記本止め孔の配置パターンとは互いに異なっており、
前記第２の取付部を下にして前記背面へ固定し、上にした前記第１の取付部を前記鉛直面へ固定する第１の取付態様と、前記ブラケットを上下逆にして前記第１の取付部を下にして前記背面へ固定し、上にした前記第２の取付部を前記鉛直面へ固定する第２の取付態様とが選択可能であることを特徴とする給湯器。
【請求項２】
前記ブラケットは、前記第１の取付部と前記第２の取付部とが上下非対称となる形状で形成されていることを特徴とする請求項１に記載の給湯器。
【請求項３】
請求項１又は２に記載の給湯器の前記ブラケットを、前記鉛直面に設けられた前記係止部及びネジ孔の配置パターンに応じて、前記第１の取付態様と前記第２の取付態様との何れかを選択して前記背面に固定し、固定した前記ブラケットを介して前記鉛直面に取り付けることを特徴とする給湯器の取付方法。
【発明の詳細な説明】
【技術分野】
【０００１】
本発明は、燃焼装置等を収容して内部の通水を加熱して出湯する給湯器と、その給湯器を壁面等の鉛直面に取り付ける方法とに関する。
【背景技術】
【０００２】
給湯器は、筐体内にバーナや熱交換器等を含む燃焼装置を収容してなり、例えば特許文献１に開示されるように、筐体の背面上下に設けたブラケットを介してネジやボルトによって建物の壁面等に取り付けられる。
【先行技術文献】
【特許文献】
【０００３】
【特許文献１】特開２００５−９７４８号公報
【発明の概要】
【発明が解決しようとする課題】
【０００４】
ブラケットには、壁面等の鉛直面に仮止めするための係止孔と、本止めするための複数の本止め孔とが設けられて、鉛直面にねじ込んだ仮止めネジに係止孔を係止させて仮止めした状態で、本止め孔を介してネジ等を鉛直面にねじ込むことで固定可能となっている。
しかし、鉛直面には、ブラケットを係止して仮止めするための仮止めネジと、ネジ等で本止めするためのネジ孔とが予め設けられた取付座金が設置されている場合がある。この取付座金に設けられる仮止めネジ及びネジ孔の配置パターンは、製造時期やメーカー等によって異なることが多い。よって、係止孔及び本止め孔の配置が決まっている１つのブラケットでは対応できないおそれがあるため、施工現場で対応できるように係止孔及び本止め孔の配置パターンが異なる複数のブラケットを予め用意する必要があり、コストや管理の手間がかさむこととなっていた。
【０００５】
そこで、本発明は、１つのブラケットでも係止孔及び本止め孔の配置パターンが異なる取付態様に対応でき、施工性に優れる上、コストや管理の手間も低減できる給湯器及びその取付方法とを提供することを目的としたものである。
【課題を解決するための手段】
【０００６】
上記目的を達成するために、請求項１に記載の発明は、燃焼装置を収容する筐体の背面の少なくとも上部に、鉛直面への取付用のブラケットを着脱可能に設けてなる給湯器であって、
ブラケットには、第１の取付部と第２の取付部とが上下に設けられて、両取付部には、鉛直面に設けた係止部に係止させるための係止孔と、鉛直面に固定するための本止め孔と、背面に固定するための取付孔とがそれぞれ形成されると共に、第１の取付部に形成される係止孔及び本止め孔の配置パターンと、第２の取付部に形成される係止孔及び本止め孔の配置パターンとは互いに異なっており、第２の取付部を下にして背面へ固定し、上にした第１の取付部を鉛直面へ固定する第１の取付態様と、ブラケットを上下逆にして第１の取付部を下にして背面へ固定し、上にした第２の取付部を鉛直面へ固定する第２の取付態様とが選択可能であることを特徴とする。
請求項２に記載の発明は、請求項１の構成において、ブラケットは、第１の取付部と第２の取付部とが上下非対称となる形状で形成されていることを特徴とする。
上記目的を達成するために、請求項３に記載の発明は、給湯器の取付方法であって、請求項１又は２に記載の給湯器のブラケットを、鉛直面に設けられた係止部及びネジ孔の配置パターンに応じて、第１の取付態様と第２の取付態様との何れかを選択して背面に固定し、固定したブラケットを介して鉛直面に取り付けることを特徴とする。
【発明の効果】
【０００７】
請求項１及び３に記載の発明によれば、各孔の配置パターンが上下で異なるブラケットを使用して第１の取付態様と第２の取付態様とを選択可能としたことで、１つのブラケットでも係止孔及び本止め孔の配置パターンが異なる取付態様に対応できる。よって、施工性に優れる上、コストや管理の手間も低減できる。
請求項２に記載の発明によれば、請求項１の効果に加えて、ブラケットを上下非対称で形成しているので、第１の取付部と第２の取付部との区別がつきやすく、給湯器に対して取り付ける向きの間違いが起こりにくい。
【図面の簡単な説明】
【０００８】
【図１】給湯器の斜視図である（第１の取付態様）。
【図２】給湯器の正面図である（第１の取付態様）。
【図３】ブラケットの説明図で、（Ａ）が正面、（Ｂ）が平面、（Ｃ）が底面、（Ｄ）が側面をそれぞれ示す。
【図４】給湯器の背面図である（第１の取付態様）。
【図５】給湯器の上部を背面側から見た斜視図である（第１の取付態様）。
【図６】給湯器を第１の取付態様で壁面に取り付けた状態を示す説明図である。
【図７】給湯器の背面図である（第２の取付態様）。
【図８】給湯器の上部を背面側から見た斜視図である（第２の取付態様）。
【発明を実施するための形態】
【０００９】
以下、本発明の実施の形態を図面に基づいて説明する。
図１は、給湯器の一例を示す斜視図、図２は正面図である。
給湯器１は、前面に開口を形成して天板３及び底板４、左右の側板５，５、背板６とからなる縦長箱状の筐体２と、筐体２の前面を閉塞するフロントカバー７とを備えている。筐体２内には、バーナを有する燃焼部、熱交換器を有する熱交換部、排気部を含む燃焼装置等の構成部品が収容されて、フロントカバー７には、排気部の前面に設けた横長の排気口８が嵌合する長孔９が形成され、前面下側と側方とには、燃焼用空気の吸気孔１０，１０・・が形成されている。
【００１０】
筐体２の背板６の上下には、壁面等の鉛直面に取り付けるためのブラケット１１，１１が設けられている。このブラケット１１は、図３に示すように、第１の取付部１２Ａと、第２の取付部１２Ｂと、両取付部１２Ａ，１２Ｂを段違いで平行に連結する連結部１３とを備える金属板である。
また、第１、第２の取付部１２Ａ，１２Ｂには、筐体２が取り付けられる鉛直面に設けた係止部に係止させるための１つの係止孔１４と、鉛直面にネジ止めするための一対の本止め孔１５，１５と、背板６にネジ止めするための、間隔が異なる二対の内側取付孔１６，１６及び外側取付孔１７，１７とがそれぞれ形成されている。但し、ここでは係止孔１４と本止め孔１５と内側取付孔１６及び外側取付孔１７との配置パターンは、両取付部１２Ａ，１２Ｂとで互いに異なっている。
【００１１】
以下、各取付部１２Ａ，１２Ｂにおける各孔の配置パターンについて説明するが、両者で区別するために各孔の符号にはＡ，Ｂを付している。また、便宜上ここでは第１の取付部１２Ａを上側として説明する。
【００１２】
まず、第１の取付部１２Ａは、横長矩形状を有し、左右方向の中央には、上下に延びる長円状で中央が大径の丸孔となる係止孔１４Ａが形成され、その上端高さでの左右両側には、左右に延びる長円状の本止め孔１５Ａ，１５Ａが、係止孔１４Ａを中心とした左右対称位置に形成されている。また、本止め孔１５Ａ，１５Ａの両外側には、本止め孔１５Ａよりも大径となる左右一対の丸孔１８Ａ，１８Ａが形成されている。
さらに、係止孔１４Ａと本止め孔１５Ａ，１５Ａとの間で下側には、左右一対の補強リブ１９Ａ，１９Ａが、連結部１３から上向きに形成されている。補強リブ１９Ａ，１９Ａの左右外側には、補強リブ１９Ａの基端に近い位置となる一対の内側取付孔１６Ａ，１６Ａと、補強リブ１９Ａの先端に近い位置で内側取付孔１６Ａ，１６Ａよりも間隔が広い一対の外側取付孔１７Ａ，１７Ａとが上下にそれぞれ形成されている。
【００１３】
次に、第２の取付部１２Ｂは、第１の取付部１２Ａよりも左右に長く、上下に短い横長矩形状を有している。これにより、ブラケット１１は上下非対称の形状となっている。
第２の取付部１２Ｂの左右方向の中央には、上下方向に延びる長円状で、上端が大径の丸孔となる係止孔１４Ｂが形成され、その両側には、左右一対の補強リブ１９Ｂ，１９Ｂが、連結部１３から下向きに形成されている。補強リブ１９Ｂ，１９Ｂの外側で基端側には、内側取付孔１６Ａ，１６Ａと同径且つ同間隔となる一対の内側取付孔１６Ｂ，１６Ｂと、外側取付孔１７Ａ，１７Ａと同径且つ同間隔となる一対の外側取付孔１７Ｂ，１７Ｂとが、上下方向に同一高さで形成され、内側取付孔１６Ｂ，１６Ｂの下側には、内側取付孔１６Ｂよりも大径となる左右一対の丸孔１８Ｂ，１８Ｂが形成されている。
【００１４】
また、丸孔１８Ｂ，１８Ｂの下側には、左右に延びる長円状の一対の本止め孔１５Ｂ，１５Ｂが、本止め孔１５Ａ，１５Ａよりも広い間隔で形成され、本止め孔１５Ｂ，１５Ｂの外側には、上下に延びる一対の縦長孔２０，２０が形成されている。
ここでは本止め孔１５Ａ，１５Ａの外側の端部の下方に、外側取付孔１７Ａ、１７Ａと、外側取付孔１７Ｂ，１７Ｂと、本止め孔１５Ｂ，１５Ｂの内側の端部とが上下方向に並ぶ配置となっている。
【００１５】
以上の如く構成された給湯器１を取り付ける場合、まず、図４，５に示すように、２つのブラケット１１，１１を、背板６の上下に分けて、上側では、第２の取付部１２Ｂを背板６側に向け、第１の取付部１２Ａを上向き且つ後側に向けた姿勢として、第２の取付部１２Ｂの外側取付孔１７Ｂ，１７Ｂを介して左右一対のネジ２１，２１によって背板６へ固定する。
一方、背板６の下側では、第２の取付部１２Ｂを背板側に向け、第１の取付部１２Ａを下向き且つ後側に向けた姿勢として、第２の取付部１２Ｂの内側取付孔１６Ｂ，１６Ｂを介して左右一対のネジ２２，２２によって背板６へ固定する。
【００１６】
そして、上側のブラケット１１の第１の取付部１２Ａを、図６に示すように、鉛直面としての壁面Ｗにねじ込んだ係止部としての仮止めネジ２３を係止孔１４Ａに貫通させ、仮止めネジ２３を係止孔１４Ａの上端に係止させることで仮止めし、その両側の本止め孔１５Ａ，１５Ａを介して左右一対のネジ２４，２４を壁面にねじ込んで本止めする。また、下側のブラケット１１では、第１の取付部１２Ａの本止め孔１５Ａ，１５Ａを介して左右一対のネジ２５，２５を壁面にねじ込む。すると、給湯器１は、上下のブラケット１１，１１を介して壁面Ｗに取り付けられる。
なお、壁面Ｗに対して絶縁及び防振を図る場合は、ネジ２４，２５にスリーブ状のゴムを取り付けて、本止め孔１５Ａ，１５Ａではなく丸孔１８Ａ，１８Ａを介してゴム付きのネジ２４，２５を壁面にねじ込むこともできる。
【００１７】
一方、壁面に取付座金が設けられて仮止めネジ及び本止め用のネジのねじ込み位置が決まっており、これが第１の取付部１２Ａの係止孔１４Ａ及び本止め孔１５Ａ，１５Ａの位置と合わない場合は、図７，８に示すように、上下のブラケット１１，１１の向きをそれぞれ上下逆にして、上側では、第１の取付部１２Ａを背板６側に向け、第２の取付部１２Ｂを上向き且つ後側に向けた姿勢として、第１の取付部１２Ａの外側取付孔１７Ａ，１７Ａを介してネジ２１，２１によって背板６へ固定する。
また、背板６の下側では、第１の取付部１２Ａを背板６側に向け、第２の取付部１２Ｂを下向き且つ後側に向けた姿勢として、第１の取付部１２Ａの内側取付孔１６Ａ，１６Ａを介してネジ２２，２２によって背板６へ固定する。
【００１８】
そして、上側のブラケット１１の第２の取付部１２Ｂを、図示しない取付座金に設けた仮止めネジを係止孔１４Ｂに貫通させ、仮止めネジを係止孔１４Ｂの上端に係止させることで仮止めし、その両側の本止め孔１５Ｂ，１５Ｂを介して一対のネジ２４，２４を取付座金にねじ込んで本止めする。また、下側のブラケット１１では、第２の取付部１２Ｂの本止め孔１５Ｂ，１５Ｂを介して一対のネジ２５，２５を取付座金にねじ込む。すると、給湯器１は、図６と同様に上下のブラケット１１，１１を介して壁面Ｗに取り付けられる。
なお、この場合も壁面Ｗに対して絶縁及び防振を図る場合は、ネジ２４，２５にスリーブ状のゴムを取り付けて、本止め孔１５Ｂ，１５Ｂではなく丸孔１８Ｂ，１８Ｂを介してゴム付きのネジ２４，２５を壁面にねじ込むこともできる。
【００１９】
このように、上記形態の給湯器１によれば、ブラケット１１には、第１の取付部１２Ａと第２の取付部１２Ｂとが上下に設けられて、両取付部１２Ａ，１２Ｂには、壁面Ｗに設けた仮止めネジ２３に係止させるための係止孔１４と、壁面Ｗに固定するための本止め孔１５と、背板６に固定するための内側取付孔１６及び外側取付孔１７とがそれぞれ形成されると共に、第１の取付部１２Ａに形成される係止孔１４Ａ及び本止め孔１５Ａ，１５Ａの配置パターンと、第２の取付部１２Ｂに形成される係止孔１４Ｂ及び本止め孔１５Ｂ，１５Ｂの配置パターンとは互いに異なっており、第２の取付部１２Ｂを下にして背板６へ固定し、上にした第１の取付部１２Ａを壁面Ｗへ固定する第１の取付態様と、ブラケット１１を上下逆にして第１の取付部１２Ａを下にして背板６へ固定し、上にした第２の取付部１２Ｂを壁面Ｗへ固定する第２の取付態様とが選択可能となっている。
【００２０】
これにより、取付現場では、ブラケット１１，１１を、壁面Ｗに設けられた仮止めネジ２３及びネジ孔の配置パターンに応じて、第１の取付態様と第２の取付態様との何れかを選択して背板６に固定し、固定したブラケット１１，１１を介して壁面Ｗに取り付ける方法で施工できる。よって、１つのブラケット１１でも係止孔１４及び本止め孔１５の配置パターンが異なる取付態様に対応でき、施工性に優れる上、コストや管理の手間も低減できる。
【００２１】
特にここでは、ブラケット１１を、第１の取付部１２Ａと第２の取付部１２Ｂとを上下非対称で形成しているので、第１の取付部１２Ａと第２の取付部１２Ｂとの区別がつきやすくなり、給湯器１に対して取り付ける向きの間違いが起こりにくい。
【００２２】
なお、上記形態では、第１の取付態様と第２の取付態様とのそれぞれにおいて、背板へブラケットを取り付ける際に使用する取付孔が上下で異なっている（第１の取付態様では、図４に示すように上側では外側取付孔１７Ｂを使用し、下側では内側取付孔１６Ｂを使用している。）が、同じでも差し支えないし、内側取付孔と外側取付孔とを共に使用してもよい。
また、壁面へ固定する際に使用する孔も、本止め孔に加えて内側取付孔や外側取付孔を使用してネジ止めすることもできる。第２の取付部では縦長孔も使用できる。
【００２３】
さらに、第１の取付部と第２の取付部とに設ける各孔の配置パターンは、上記形態に限らず、本止め孔の位置や形状、数を変えたりすることが可能である。係止孔も形状は適宜変更できるし、丸孔は省略することも可能である。取付孔も、内側取付孔と外側取付孔との何れか一方のみとしてもよいし、第１の取付部と第２の取付部とで同じ配置としてもよい。
加えて、連結部の形状も、例えば第１、第２の取付部に対して傾斜させる等の変更は可能で、ブラケットは上下非対称でなくてもよい。また、ブラケットは、背面の上下で共に同じ取付態様で使用する場合に限らず、例えば上側のブラケットを第１の取付態様とし、下側のブラケットを第２の取付態様とすることもできる。さらに、ブラケットは上下で使用する場合に限らず、背面の上部のみで使用することもできる。
そして、上記形態では、本止め孔や取付孔を介したブラケットの固定をネジで行っているが、ボルト等の他の固定具であっても同様に固定できる。
【符号の説明】
【００２４】
１・・給湯器、２・・筐体、６・・背板、７・・フロントカバー、１１・・ブラケット、１２Ａ・・第１の取付部、１２Ｂ・・第２の取付部、１３・・連結部、１４（１４Ａ，１４Ｂ）・・係止孔、１５（１５Ａ，１５Ｂ）・・本止め孔、１６（１６Ａ，１６Ｂ）・・内側取付孔、１７（１７Ａ，１７Ｂ）・・外側取付孔、１８Ａ，１８Ｂ・・丸孔、１９Ａ，１９Ｂ・・補強リブ、２１，２２，２４，２５・・ネジ、２３・・仮止めネジ。
【図１】
2018185090.tif 000003
【図２】
2018185090.tif 000004
【図３】
2018185090.tif 000005
【図４】
2018185090.tif 000006
【図５】
2018185090.tif 000007
【図６】
2018185090.tif 000008
【図７】
2018185090.tif 000009
【図８】
2018185090.tif 000010